(57)【要約】【課題】容器内部に害虫や小動物が侵入することを防止しつつ、内部の青果物から生じたガスを容器外に確実に放出することができ、また製造コストが安価であるとともに、耐衝撃性に優れた青果物収納用容器を提供すること。【解決手段】青果物収納用容器は、底壁部と前記底壁部の周縁より立設された側壁部とにより、内方に青果物収納部を形成するとともに前記底壁部と対向する側が開口された容器本体部と、前記容器本体部の底壁部と対向する開口を塞ぐよう構成された蓋部材と、から成り、前記容器本体部および／または蓋部材には、前記容器本体部および／または蓋部材を貫通して成り、前記青果物収納部内に青果物を収容した状態において、前記青果物から生ずるガスを外部に放出するための微細孔が複数設けられており、前記微細孔の前記青果物収納部の外方に位置する開孔部の孔径が、内方に位置する開孔部の孔径よりも小さく設定されている。【選択図】図１
2011011806.tif 000002
【特許請求の範囲】
【請求項１】
青果物収納用容器であって、
前記青果物収納用容器は、
底壁部と前記底壁部の周縁より立設された側壁部とにより、内方に青果物収納部を形成するとともに前記底壁部と対向する側が開口された容器本体部と、
前記容器本体部の底壁部と対向する開口を塞ぐよう構成された蓋部材と、
から成り、
前記容器本体部および／または蓋部材には、
前記容器本体部および／または蓋部材を貫通して成り、前記青果物収納部内に青果物を収容した状態において、前記青果物から生ずるガスを外部に放出するための微細孔が複数設けられており、
前記微細孔の前記青果物収納部の外方に位置する開孔部の孔径が、内方に位置する開孔部の孔径よりも小さく設定されていることを特徴とする青果物収納用容器。
【請求項２】
前記微細孔が、前記容器本体部および／または蓋部材に１〜１０個／ｃｍ2の密度で形
成されていることを特徴とする請求項１に記載の青果物収納用容器。
【請求項３】
前記微細孔が、前記容器本体部の底壁部全体の面積の０．０５〜１．００％の範囲内の領域に形成されていることを特徴とする請求項１または２に記載の青果物収納用容器。
【請求項４】
前記微細孔が、前記蓋部材の主面全体の面積の０．０５〜１．００％の範囲内の領域に形成されていることを特徴とする請求項１から３のいずれかに記載の青果物収納用容器。
【請求項５】
前記微細孔の前記青果物収納部の外方に位置する開孔部の孔径がφ１．００〜１．５０ｍｍの範囲内であり、
前記微細孔の前記青果物収納部の内方に位置する開孔部の孔径がφ１．０５〜１．５５ｍｍの範囲内であることを特徴とする請求項１から４のいずれかに記載の青果物収納用容器。
【請求項６】
前記青果物収納部の外方に位置する各開口部の孔径の平均値に対する各開口部の変動幅が０．０５〜０．１０ｍｍの範囲内にあり、前記孔径に対する前記変動幅の比率（変動幅／孔径）が３．３〜１０．０％の範囲内にあることを特徴とする請求項５に記載の青果物収納用容器。
【請求項７】
前記微細孔が、前記蓋部材の主面および前記容器本体部の底壁部に設けられている場合であって、
前記容器を直上から目視した際に、前記蓋部材の微細孔形成位置と、前記容器本体部の微細孔形成位置とが、位置ずれされるよう構成されていることを特徴とする請求項１から６のいずれかに記載の青果物収納用容器。
【請求項８】
前記ガスが、エチレンガスであることを特徴とする請求項１から７のいずれかに記載の青果物収納用容器。
【請求項９】
前記青果物収納用容器が、発泡樹脂からなることを特徴とする請求項１から８のいずれかに記載の青果物収納用容器。
【請求項１０】
前記発泡樹脂が、発泡スチレンであることを特徴とする請求項９に記載の青果物収納用容器。
【発明の詳細な説明】
【技術分野】
【０００１】
本発明は、内部に青果物を収納した後、これを搬送または保管するために用いられる青果物収納用容器に関する。
【背景技術】
【０００２】
従来より、収穫を終えた青果物は、直ぐに出荷される場合の他、例えば出荷時期を調整した後、または追熟を行った後、出荷がなされる場合があった。
【０００３】
このような青果物は、収納用容器内に収納されて保管されるのが一般的であり、収納用容器は、青果物の鮮度をできるだけ保つことができ、段積みしても破損しないよう一定の強度を有し、安価に製造できることなどが重要な条件である。
【０００４】
青果物収納用容器として用いられているダンボール箱，木箱，発泡樹脂製容器などは、いずれも上記の条件を満たす優れた容器であり、流通の要として使用が盛んである。
【０００５】
なお、青果物の中には、老化や成熟を促進する植物成熟ホルモンとしてエチレンガスを発生するものがあるため、このエチレンガスが青果物収納用容器内に貯まらないよう、ガスを容器外に放出できるような容器構造を有する工夫が必要である。
【０００６】
このような容器構造としては、例えば容器の側面や上面に開口部を設けることで、容器内にガスが貯まってしまうことを防止するものがある。
【０００７】
しかしながら、このような容器構造を有する青果物収納用容器は、開口部から容器内部に害虫や小動物が侵入する問題があった。
【０００８】
このため、図１１に示した青果物収納用容器１００では、容器１００の側面１０２に開口部１０４を形成し、この開口部１０４を覆うように不織布１０６を貼り付けることで、容器１００内部に害虫や小動物が侵入することを防止しつつ、内部に収容された青果物から生じたガスを容器１００外に確実に放出できるようにしている。
【発明の概要】
【発明が解決しようとする課題】
【０００９】
しかしながら、このように開口部１０４に不織布１０６を張着した青果物収納用容器１００の場合、不織布１０６部分の強度が著しく低下するという問題があった。
【００１０】
また、この開口部１０４への不織布１０６の張着は、一枚一枚手作業で行われており、非常に効率が悪いものであった。
【００１１】
また不織布は、多数の繊維からなるため、どうしても繊維の隙間から害虫が容器内部に侵入してしまう場合があった。
【００１２】
したがって、害虫が存在しないように厳しい監督下で青果物を育成させ収穫したとしても、搬送の途中で害虫が容易に紛れ込むことがあった。
【００１３】
一方、日本産の青果物、特にリンゴなどは、非常に高度な品種改良が繰り返されて、味覚，形態などが非常に良好であるため、海外における需要が日々高まっている。
【００１４】
このような青果物を輸入する国では、海外から害虫が持ち込まれないよう非常に厳しい対応で臨んでいる。これは、新たな害虫が持ち込まれた場合、この害虫に対して天敵が存在しないことがあり、輸入国の自然が害虫によって駆逐されてしまうことがあるためである。
【００１５】
このため青果物を輸入する場合には、容器内に害虫が入らないようになるべく密閉された容器を用いる必要があるが、青果物がリンゴのようにガスを生ずる青果物である場合には、逆にこの密閉された空間内にガスが溜まってリンゴの鮮度が低下してしまうという問題があった。
【００１６】
本発明は、このような現状に鑑みなされたものであって、容器内部に害虫や小動物が侵入することを防止しつつ、内部の青果物から生じたガスを容器外に確実に放出することのできる青果物収納用容器を提供することを目的とする。
【００１７】
また本発明は、製造コストが安価であるとともに、耐衝撃性に強い青果物収納用容器を提供することを目的とする。
【課題を解決するための手段】
【００１８】
本発明は、前述したような従来技術における問題点を解決するために発明されたものであって、
本発明の青果物収納用容器は、
青果物収納用容器であって、
前記青果物収納用容器は、
底壁部と前記底壁部の周縁より立設された側壁部とにより、内方に青果物収納部を形成するとともに前記底壁部と対向する側が開口された容器本体部と、
前記容器本体部の底壁部と対向する開口を塞ぐよう構成された蓋部材と、
から成り、
前記容器本体部および／または蓋部材には、
前記容器本体部および／または蓋部材を貫通して成り、前記青果物収納部内に青果物を収容した状態において、前記青果物から生ずるガスを外部に放出するための微細孔が複数設けられており、
前記微細孔の前記青果物収納部の外方に位置する開孔部の孔径が、内方に位置する開孔部の孔径よりも小さく設定されていることを特徴とする。
【００１９】
このように構成すれば、容器本体部および／または蓋部材に微細孔が設けられているだけであるため、製造時に射出成形を用いれば、微細孔も一度に成形可能であり、製造コストを抑えることができる。
【００２０】
さらに、微細孔を直接容器本体部および／または蓋部材に設けているため、従来の青果物収納用容器と比べて耐衝撃性に強く、例えば青果物を輸出する場合など長時間容器を使用する際においても、確実に内部の青果物の品質を保つことができる。
【００２１】
また、本発明の青果物収納用容器は、
前記微細孔が、前記容器本体部および／または蓋部材に１〜１０個／ｃｍ2の密度で形
成されていることを特徴とする。
【００２２】
さらに、本発明の青果物収納用容器は、
前記微細孔が、前記容器本体部の底壁部全体の面積の０．０５〜１．００％の範囲内の領域に形成されていることを特徴とする。
【００２３】
また、本発明の青果物収納用容器は、
前記微細孔が、前記蓋部材の主面全体の面積の０．０５〜１．００％の範囲内の領域に形成されていることを特徴とする。
【００２４】
さらに、本発明の青果物収納用容器は、
前記微細孔の前記青果物収納部の外方に位置する開孔部の孔径がφ１．００〜１．５０ｍｍの範囲内であり、
前記微細孔の前記青果物収納部の内方に位置する開孔部の孔径がφ１．０５〜１．５５ｍｍの範囲内であることを特徴とする。
【００２５】
また、本発明の青果物収納用容器は、
前記青果物収納部の外方に位置する各開口部の孔径の平均値に対する各開口部の変動幅が０．０５〜０．１０ｍｍの範囲内にあり、前記孔径に対する前記変動幅の比率（変動幅／孔径）が３．３〜１０．０％の範囲内にあることを特徴とする。
【００２６】
このような微細孔によって、青果物から発生するガスが容器外部に放出され、こうしたガスを含まない容器外部の空気が容器外部に取り込まれる。
【００２７】
そして、微細孔によって容器内の気体の流通を行うことができるが、この微細孔の外方に位置する開孔部の孔径が非常に小さいことから、容器外部からの害虫の侵入を有効に防止することができる。
【００２８】
したがって、青果物を輸出する場合、本発明の容器に収納して搬送すれば、外部から容器内に害虫が侵入することがないので好ましい。
【００２９】
さらに、本発明の青果物収納用容器は、
前記微細孔が、前記蓋部材の主面および前記容器本体部の底壁部に設けられている場合であって、
前記容器を直上から目視した際に、前記蓋部材の微細孔形成位置と、前記容器本体部の微細孔形成位置とが、位置ずれされるよう構成されていることを特徴とする。
【００３０】
このように蓋部材の微細孔と容器本体部の微細孔の位置がずれていれば、容器内で気体の流れが生ずるようになるため、青果物から生ずるガスを効果的に外部に放出させることができる。
【００３１】
さらに、空気との比重差により自然換気なされるため、容器内のガスを容器外に放出させ、替わりに容器外にある新鮮な空気を容器内に導入することができる。
【００３２】
また、このように微細孔が設けられていれば、青果物収納用容器に青果物を収納した後に予冷庫に入れた場合において、微細孔から青果物収納用容器の内部に冷気が効率良く流入されるようになるため、冷却効率を高めることができ、再冷却の必要な場合にも迅速に冷却を行うことができる。
【００３３】
さらに、本発明の青果物収納用容器は、
前記ガスが、エチレンガスであることを特徴とする。
【００３４】
このようなエチレンガスは、特にリンゴより発生されるガスであるため、本発明の青果物収納用容器は、リンゴの搬送に好適である。
【００３５】
また、本発明の青果物収納用容器は、
前記青果物収納用容器が、発泡樹脂からなることを特徴とする。
【００３６】
さらに、本発明の青果物収納用容器は、
前記発泡樹脂が、発泡スチレンであることを特徴とする。
【００３７】
このように青果物収納用容器が発泡樹脂からなれば、容器を軽量化することができるとともに、断熱性が高く、外的応力に対しても対応力があるので、内部の青果物の鮮度を保つことができる。また、金型による樹脂成形が可能であるため、生産性が高く製造コストを抑えることができる。
【００３８】
特に発泡樹脂が発泡スチレンであれば、比較的安価な材質であるとともに入手が容易であるため、製造コストを抑えることができる。
【発明の効果】
【００３９】
本発明によれば、容器本体部や蓋部材に直接微細孔を設けたので、容器内部に害虫や小動物が侵入することを防止しつつ、内部の青果物から生じたガスを容器外に確実に放出することのできる青果物収納用容器を提供することができる。
【００４０】
また製造コストが安価であるとともに、耐衝撃性に強い青果物収納用容器を提供することができる。
【図面の簡単な説明】
【００４１】
【図１】図１は、本発明の青果物収納用容器の分解斜視図である。
【図２】図２は、図１に示した青果物収納用容器のＡ−Ａ線による分解断面図である。
【図３】図３は、本発明の青果物収納用容器の青果物収納部内に青果物を収容した状態を示す断面図である。
【図４】図４は、図３に示した断面図のＢ部拡大図である。
【図５】図５は、本発明の青果物収納用容器の製造方法を説明する工程図であり、図５（ａ）は金型を開いた状態を説明するための概略図、図５（ｂ）は金型を閉じた状態を説明するための概略図、図５（ｃ）は金型内で原料ビーズを発泡させた状態を説明するための概略図である。
【図６】図６は、本発明の青果物収納用容器の製造方法を説明する工程図であって、図６（ａ）は金型を開いた状態を説明するための概略図、図６（ｂ）は成形された容器を金型から取り外した状態を説明する概略図である。
【図７】図７は、図６（ｂ）の工程において、蓋部材の微細孔の状態を説明するための部分拡大図である。
【図８】図８は、容器本体部の製造方法を説明する工程図であり、図８（ａ）は金型を開いた状態を説明するための概略図、図８（ｂ）は金型を閉じた状態を説明するための概略図である。
【図９】図９は、容器本体部の製造方法を説明する工程図であり、図９（ａ）は金型内で原料ビーズを発泡させた状態を説明するための概略図、図９（ｂ）は金型を開いた状態を説明するための概略図である。
【図１０】図１０は、容器本体部の製造方法を説明する工程図であり、図１０（ａ）は成形された容器本体部を金型から取り外した状態を説明する概略図である。
【図１１】図１１は、従来の青果物収納用容器の概略図である。
【発明を実施するための形態】
【００４２】
以下、本発明の実施の形態について、図面に基づいてより詳細に説明する。
【００４３】
図１は、本発明の青果物収納用容器の分解斜視図、図２は、図１に示した青果物収納用容器のＡ−Ａ線による分解断面図、図３は、本発明の青果物収納用容器の青果物収納部内に青果物を収容した状態を示す断面図、図４は、図３に示した断面図のＢ部拡大図である。
【００４４】
本発明の青果物収納用容器は、容器内部に害虫や小動物が侵入することを防止しつつ、内部の青果物から生じたガスを容器外に確実に放出することができ、また製造コストが安価であるとともに、耐衝撃性に優れたものである。
＜青果物収納用容器１０＞
図１および図２に示したように本発明の青果物収納用容器１０は、まず底壁部１２と、この底壁部１２の周縁より立設された側壁部１４とにより、内方に青果物収納部１６を形成するとともに、底壁部１２と対向する側が開口された容器本体部１８と、容器本体部１８の底壁部１２と対向する開口を塞ぐための蓋部材２０と、から構成されている。
【００４５】
そして、容器本体部１８と蓋部材２０には、これら容器本体部１８と蓋部材２０のそれぞれを貫通して成る微細孔２２ａ，２２ｂがそれぞれに設けられている。
【００４６】
この微細孔２２ａ，２２ｂは、図３に示したように、青果物収納部１６内に青果物２４を収容した状態において、青果物２４から生ずるガスを外部に放出するためのものである。
【００４７】
青果物２４の中には、老化や成熟を促進する植物成熟ホルモンとしてエチレンガスを生ずるものがあるが、このエチレンガスが青果物収納用容器１０内に貯まってしまうと、青果物２４の鮮度の落ちるスピードが早まってしまう。
【００４８】
このため、容器本体部１８と蓋部材２０に微細孔２２ａ，２２ｂを設ければ、容器内にガスが貯まることを防止することができる。
【００４９】
また、容器本体部１８と蓋部材２０に設けられた微細孔２２ａ，２２ｂは、如何なる位置に設けられていても良いものであるが、例えば実施例のように、容器本体部１８の底壁部１２や蓋部材２０の主面２６に設けることが好ましい。
【００５０】
なお、微細孔２２ａ，２２ｂは、容器本体部１８および／または蓋部材２０に１〜１０個／ｃｍ2の密度で形成されていることが好ましい。
【００５１】
また容器本体部１８に設けられた微細孔２２ａは、容器本体部１８の底壁部１２全体の面積の０．０５〜１．００％の範囲内の領域に形成されていることが好ましい。
【００５２】
さらに蓋部材２０に設けられた微細孔２２ｂについては、蓋部材２０の主面２６全体の面積の０．０５〜１．００％の範囲内の領域に形成されていることが好ましい。
【００５３】
このように微細孔２２ｂが設けられていれば、容器本体部１８内に収容された青果物２４がガスを生じても、確実に外方に放出させることができ、青果物の鮮度を保つことができる。また、容器１０の強度が必要以上に落ちてしまうことがないため、搬送時における耐衝撃性にすぐれている。
【００５４】
なお、図４に示したように微細孔２２ｂの青果物収納部１６の外方に位置する開孔部２８ａの孔径Ｌ１は、内方に位置する開孔部２８ｂの孔径Ｌ２よりも小さく設定されている。
【００５５】
ここで、青果物収納部１６の外方に位置する開孔部２８ａの孔径Ｌ１が通常はφ１．００〜１．５０ｍｍの範囲内であり、青果物収納部１６の内側に位置する開孔部２８ｂの孔径Ｌ２が通常はφ１．０５〜１．５５ｍｍの範囲内である。
【００５６】
このように本発明の青果物収納用容器１０においては、容器１０の外側に位置する開孔部２８ａの孔径Ｌ１を、容器１０の内側に位置する開孔部２８ｂの孔径Ｌ２よりも小さく形成することにより、害虫あるいは小動物がより侵入し難くなる。
【００５７】
特に本発明では、容器１０の外側に位置する各開孔部２８ａの孔径Ｌ１の平均値に対する各開口部２８ａの変動幅が０．０５〜０．１０ｍｍの範囲内にあり、この孔径Ｌ１に対する変動幅の比率（変動幅／孔径Ｌ１）が３．３〜１０．０％の範囲内にあることが好ましい。
【００５８】
このように容器１０の外側の孔径Ｌ１が揃った微細孔２２ｂを形成することにより、害虫などの侵入を実質的に完全に防止できる。
【００５９】
本発明の青果物収納用容器１０では、容器１０の外方に設けられた開孔部２８ａの孔径Ｌ１を内方に設けられた開孔部２８ｂの孔径Ｌ２よりも小さくすることにより、害虫あるいは小動物の侵入を有効に防止することができる。
【００６０】
なお、微細孔２２ａについても、上記微細孔２２ｂと同様である。
【００６１】
このように微細孔２２ａ，２２ｂの大きさを設定すれば、青果物収納用容器１０内に害虫や小動物が侵入することができないので、例えば青果物２４を輸出する場合、容器１０内に害虫あるいは小動物などがいない状態で密封してしまえば、これらの害虫あるいは小動物が搬送中あるいは貯蔵中などに容器１０内に侵入することができない。
【００６２】
また害虫あるいは小動物によって、内包されている青果物２４が損傷を受けることを防止することができる。
【００６３】
さらに、上記したように容器本体部１８の底壁部１２や蓋部材２０の主面２６に微細孔２２ａ，２２ｂが設けられている場合には、図３に示したように青果物を孔形成位置と、容器本体部１８の微細孔形成位置とが、位置ずれされていることが好ましい。
【００６４】
このように位置ずれして微細孔２２ａ，２２ｂを設ければ、容器１０内で気体の流れが生ずるようになるため、青果物２４から生ずるガスを効果的に外部に放出させることができる。
【００６５】
さらに、青果物収納用容器１０内に青果物２４を収納した後で冷却を行う場合には、微細孔２２ａ，２２ｂから青果物収納用容器１０の内部に冷気が効率良く流入されるため、冷却効率が高められ、再冷却の必要な場合にも迅速に冷却を行うことができる。
【００６６】
また、このような微細孔２２ａ，２２ｂを有する青果物収納用容器１０は、如何なる材質からなっていても良いものであるが、特に発泡樹脂からなることが好ましい。
【００６７】
このような発泡樹脂としては、公知の発泡樹脂であれば如何なるものであっても使用可能であるが、中でも発泡スチレンを用いることが好ましい。
【００６８】
また、発泡樹脂を用いる場合、金型を用いることで微細孔２２ａ，２２ｂも一緒に形成可能であり、製造コストを抑えることができる。
【００６９】
次いで、本発明の青果物収納用容器１０の製造方法について説明する。
＜青果物収納用容器１０の製造方法＞
上記した青果物収納用容器１０は、その製造方法において、金型３０を用いることが好ましい。
【００７０】
まず、蓋部材２０の製造方法について説明する。
【００７１】
図５（ａ）に示したように、蓋部材２０を形成するための上型３２と下型３４からなる金型３０を用意する。
【００７２】
次いで、図５（ｂ）に示したように、上型３２と下型３４とを型閉めして、内部に蓋部材２０を形成するための空間４０を形成する。
【００７３】
そして、図５（ｃ）に示したように、この空間４０内に発泡樹脂５０の原料である原料ビーズを矢印の部位より注入した後、この空間４０内の原料ビーズに蒸気をかける。
【００７４】
すると、原料ビーズが膨張し、上型３２と下型３４とで形成された空間４０内に発泡された発泡樹脂５０が隙間なく充填されるようになる。
【００７５】
次いで、図６（ａ）に示したように金型３０を開き、さらに、図６（ｂ）に示したように、上型３２から蓋部材２０となる発泡体を突き出すことで、上型３２よりこの発泡体を取り外し、図１に示したような蓋部材２０が完成される。
【００７６】
なお、成形品の突き出しにおいて、上型３２のピン部材３６を成形品から抜く時には、図７に示したように、ピン部材３６の先端側、つまり蓋部材２０を青果物収納用容器１０に使用する際に、容器１０の外側に位置する孔側から順に、蓋部材２０の内側に位置する孔側に向かって抜けることとなる。
【００７７】
このとき、蓋部材２０の外側に位置する孔の孔径Ｌ１は、成形品の熱収縮および原料ビーズの膨張がわずかに生じ、ピン部材３６のピン径Ｌ３よりも若干、縮径されることとなる。
【００７８】
なお、蓋部材２０の内側に位置する孔の孔径Ｌ２については、ピン部材３６の抜けが一番最後となるため、既に成形品の熱収縮およびビーズの膨張は終わっており、ピン部材３６のピン径Ｌ３とほぼ同じ孔径となる。
【００７９】
このような現象を利用することで、蓋部材２０の微細孔２２ｂの外方に位置する孔径Ｌ１が、内方に位置する孔径Ｌ２よりも小さくなるようにすることができる。
【００８０】
本実施例においては、ピン部材３６の断面形状が一定なストレートピンを用いているが、例えば先端にテーパーを有するピンを用いれば、蓋部材２０の微細孔２２ｂの外方に位置する孔径Ｌ１を、ストレートピンを用いた場合と比べて、さらに小さくすることができるため、形成する微細孔２２ｂの孔径に合わせて、どのようなピン部材３６を使用するかを決定すれば良い。
【００８１】
次いで、容器本体部１８の製造方法について説明する。
【００８２】
図８（ａ）に示したように、容器本体部１８を形成するための上型６２と下型６４からなる金型６０を用意する。
【００８３】
次いで、図８（ｂ）に示したように、上型６２と下型６４とを型閉めして、内部に容器本体部１８を形成するための空間７０を形成する。
【００８４】
そして、図９（ａ）に示したように、この空間７０内に発泡樹脂５０の原料である原料ビーズを矢印の部位より注入した後、この空間７０内の原料ビーズに蒸気をかける。
【００８５】
すると、原料ビーズが膨張し、上型６２と下型６４とで形成された空間７０内に発泡された発泡樹脂５０が隙間なく充填されるようになる。
【００８６】
次いで、図９（ｂ）に示したように金型６０を開き、さらに、図１０（ａ）に示したように、上型６２から容器本体部１８となる発泡体を突き出すことで、上型６２よりこの発泡体を取り外し、図１に示したような容器本体部１８が完成される。
【００８７】
なお、金型の構造は、蓋部材２０と容器本体部１８とで基本的に同じであるため、容器本体部１８において、ピン部材６６の抜ける方向も蓋部材２０と同様に、容器本体部１８の外側から内側に向かう方向である。
【００８８】
このため、容器本体部１８に形成された微細孔２２ａについての説明は、蓋部材２０の微細孔２２ｂと同じ構造であるため、詳細な説明については省略するが、上記の金型構造により、ピン部材３６の断面形状が一定なストレートピンであっても、容器本体部１８の外方に位置する孔径Ｌ１が、内方に位置する孔径Ｌ２よりも小さくすることができる。
【００８９】
このように、本発明の青果物収納用容器１０は、容器本体部１８や蓋部材２０に直接微細孔２２ａ，２２ｂを設けたので、容器１０内部に害虫や小動物が侵入することを防止しつつ、内部の青果物２４から生じたガスを容器１０外に確実に放出することができ、また発泡樹脂を用いて金型により製造可能であるため、製造コストが安価であるとともに、耐衝撃性に強いという利点を有することができる。
【００９０】
以上、本発明における青果物収納用容器１０の好ましい形態について説明したが、本発明は上記の形態に限定されるものではないものであって、本発明の目的を逸脱しない範囲で種々の変更が可能なものである。
【実施例】
【００９１】
（実施例１）
図１に示した蓋部材２０を、図５（ａ）〜図６（ｂ）に示した工程を経て製造し、蓋部材２０を青果物収納用容器１０として用いる際に、蓋部材２０の微細孔２２ｂの容器の外方に位置する孔径Ｌ１と、内側に位置する孔径Ｌ２を、１０箇所測定した。
【００９２】
なお、金型３０に使用したピン部材３６は、全てφ１．４ｍｍのストレートピンであった。
【００９３】
測定結果は、表１の通りである。
【００９４】
【表１】
2011011806.tif 000003
【００９５】
表１から明らかなように、蓋部材２０の微細孔２２ｂは、１０箇所とも青果物収納部１６の外方に位置する孔径Ｌ１の方が、内側に位置する孔径Ｌ２よりも小さくなることが確認できた。
【００９６】
また、蓋部材２０の外側に位置する微細孔２２ｂの孔径Ｌ１の平均値に対する変動幅は０．０５ｍｍであり、孔径Ｌ１の大きさのばらつきが少ないことが確認できた。
（実施例２）
図１に示した容器本体部１８を、図８（ａ）〜図１０（ａ）に示した工程を経て製造し、容器本体部１８を、青果物収納用容器１０として用いる際に、容器本体部１８の微細孔２２ａの容器の外方に位置する孔径Ｌ１と、内側に位置する孔径Ｌ２を、１０箇所測定した。
【００９７】
なお、金型６０に使用したピン部材６６は、全てφ１．４ｍｍのストレートピンであった。
【００９８】
測定結果は、表２の通りである。
【００９９】
【表２】
2011011806.tif 000004
【０１００】
表２から明らかなように、容器本体部１８の微細孔２２ａは、１０箇所とも青果物収納部１６の外方に位置する孔径Ｌ１の方が、内側に位置する孔径Ｌ２よりも小さくなることが確認できた。
【０１０１】
また、容器本体部１８の外側に位置する微細孔２２ａの孔径Ｌ１の平均値に対する変動幅は０．０５ｍｍであり、孔径Ｌ１の大きさのばらつきが少ないことが確認できた。
【符号の説明】
【０１０２】
１０・・・青果物収納用容器
１２・・・底壁部
１４・・・側壁部
１６・・・青果物収納部
１８・・・容器本体部
２０・・・蓋部材
２２ａ・・微細孔
２２ｂ・・微細孔
２４・・・青果物
２６・・・主面
２８ａ・・開孔部
２８ｂ・・開孔部
３０・・・金型
３２・・・上型
３４・・・下型
３６・・・ピン部材
４０・・・空間
５０・・・発泡樹脂
６０・・・金型
６２・・・上型
６４・・・下型
６６・・・ピン部材
７０・・・空間
Ｌ１・・孔径
Ｌ２・・孔径
Ｌ３・・ピン径
１００・・・青果物収納用容器
１０２・・・側面
１０４・・・開口部
１０６・・・不織布
【図１】
2011011806.tif 000005
【図２】
2011011806.tif 000006
【図３】
2011011806.tif 000007
【図４】
2011011806.tif 000008
【図５】
2011011806.tif 000009
【図６】
2011011806.tif 000010
【図７】
2011011806.tif 000011
【図８】
2011011806.tif 000012
【図９】
2011011806.tif 000013
【図１０】
2011011806.tif 000014
【図１１】
2011011806.tif 000015